(57)【要約】      （修正有）【課題】省資源、省エネルギー化を図った、効率のよいプール水の清浄化機能を有するプール設備を提供する。【解決手段】プール１とバランスイング槽２との間にブロー管１２を組込んだオーバーフロー管３を、バランスイング槽２と循環装置４との間に吸水管５を、また循環装置４とプール１との間に吐水管６を接続すると共に、一端をプール１に他端を吸水管５に接続したプール吸水管７を設け、吸水管５とプール吸水管７との合流個所前位に流量計８と流量調節弁９とを組込み、且つバランスイング槽２とプール吸水管７とを連通管１０で接続する。【選択図】図１
0003233035.tif 000002
【実用新案登録請求の範囲】
【請求項１】
フール１とパランスイング槽２との間にブロー管１２を組込んだオーバーフロー管３を、バランスインク槽２と循環装置４との間に吸水管５を、また循環装置４と前記プール１との間に吐水管６を接続すると共に、一端を前記プール１に他端を前記吸水管５に接続したプール吸水管７を設け、前記吸水管５とプール吸水管７との合流個所前位に流量計８と流量調節弁９とを組込み、且つ前記バランスイング槽２とプール吸水管７とを連通管１０で接続するプール設備。
【考案の詳細な説明】
【技術分野】
【０００１】プールの設備に関する。
【背景技術】
【０００２】プール水の効率よい正常化を図り、省資源、省エネルギー化を図るもの。
【考案の概要】
【考案が解決しようとする課題】
【０００５】省資源、省エネルギー化を図った効率のよいプール水の清浄化
【課題を解決するための手段】
【０００６】循環式プールにおいてオーバーフロー水のスムーズな流出並びに再利用を可能にするとともに、オーバーフロー水とプール給水とを有効に混合させて循環させるようにしたもの。
【考案の効果】
【０００７】この循環式プール設備は、オーバーフロー水をスムーズに循環させ、効率よくすなわち汚れの目立つオーバーフロー水はブロー管から排水させ、比較的汚れの少ないものをバランスイング槽に流入させ、ろ過機等に過大な負荷をかけないようにして再利用するようにし、しかもオーバーフロー水とプール水との適切な混合比率を任意に調整できるようにしてプールが常に効率よく清浄化された水で満たされるようにした。
【図面の簡単な説明】
【０００８】
【図１】本考案プール設備の装置系統図
【図２】  従来プール設備の装置系統図
【図３】  従来プール設備の装置系統図
【考案を実施するための形態】
【０００９】本考案はプール設備に関し、更に詳しくは循環式プールにおいてオーバーフロー水のスムーズな流出並びに再使用を可能にすると共に、オーバーフロー水とプール給水とを有効に混合させて循環させるようにしたものです。
【００１０】従来のプールは例えば第２図に示すようにオーバーフローした水はオーバーフロー管５０を通って排水桝５１にそのまま放流している場合が多かったが、これであるとプール水の使用量は大となり最近における水資源の節約という点から問題のあるところであった。
そこで排水桝５１に放流する代りにプール５２の水面より低位にオーバーフロータンク５３を設け、タンク５３にオーバーフロー水を導き、これをポンプ５４で再びプール５２へ返すようにしたものも実施されているが、しかしこれであるとオーバーフロー水は回収できてもプール水の清浄化の点では問題が残り、またオーバーフロー水を送り返すための専用ポンプを必要とし、しかも上記のオーバーフロータンク５３はスムーズにオーバーフロー水を吸収、流入させるためにはプール５２より一段低い位置に設けねばならず施工上、面到となりがちであった。
【００１１】一方、第３図は上記プール５２に対して循環式のプール水をポンプで循環させ、組込んだフィルター装置でプール水の浄化をはかるようにしたプールも実施されており、その代表的なものは例えば第３図に示す如く、プール５２とは別体にバランスイング槽５５を設け、プール５２とバランスイング槽５５とを連通管としての機能をも有する吸水管５６で接続すると共に、オーバーフロー管５０もまたパランスイング槽５５導き、パランスイング槽５５内の水をポンプ５４で引き、フィルター装置５７を通して吐水管５８からプール５２へ送水するようにしたものもある。
しかしこれであるとオーバーフロー水はオーバーフロー管５０を通って、またプール水は吸水管５６を通って共にバランスイング槽に流入するから、比較的汚れの多いオーバーフロー水が、汚れの少ないプール水に無差別に混入しこれをフィルター装置５７で浄化するからこの装置５７には大きな負荷がかかりがちとなり、プール水の効率よい清浄化という面で問題があった。
【００１２】  以下本案考案の詳細を図面に記載した実施例に基づき説明すれば、本考案プール設備はプール１とバランスイング槽２との間にオーバーフロー管３をバランスイング槽２と循環装置４との間に吸水管５を、また循環装置４と前記プール１との間に吐水管６を接続すると共に、前記吸水管５に接続したプール吸水管７との合流個所前位に流量計８と流量調節弁９とをそれぞれに組込み、且つ前記バランスイング槽２とプール吸水管７とを連通管１０でもつて接続したものである。
前記バランスイング槽２は、プール１の水位を一定に調節する機能をもち、給水管１３をボールタップ式等の水位調節手段を介して接続し、底部において連結管１０及びプール吸水管７でもつて、バランスイング槽２をプール１に連通させており、前記連通管１０には開度調節用の弁１４を組込んでいる。またプール１周囲に複数設けたオーバーフロー管３は合流してバランスイング槽２に接続すると共に中間部にブロー弁１１を組込んだブロー管１２をまたオーバーフロー管３には切替弁２２を取付け、オーバーフロー水を必要とあれば図示しない排水桝等へブローできるようにしている。
【００１３】  前記吸水管５及びプール吸水管７に設けた流量計８はオーバーフロー水とプール１底部付近のプール水とが適切な比率で混合され、効率のよいプール水の清浄化がなされるように図ったものであり、一実施例として図示したものはそれぞれの配管５，７に手動式の流量調節弁９を取付けたものであるが、それ以外に流量計８の指示量を受けて自動的に開度を調節できる弁とすることもできる。
また循環装置４はプール水を清浄化して循環させるもので例えれば図示の如く、吸水管５にヘアーキャッチャー１５、薬液槽１６を組込むと共にポンプ２１の吐水管６にろ過機１７、減菌タンク１８を取付け、更に温水用プールとして使用する場合にはボイラ１９を設置するようにし、ボイラ１９を出た吐水管６をプール吐水口２０に接続している。
従って、上記実施例のプールでは、バランスイング槽２に給水管１３から給水を行なえば連通管１０及びプール吸水管７を通ってプール１に送水がなされ、プール１が一定水位に設定される。そこでポンプ２１を作動させればプール１の下部に接続したプール吸水管７を通ってプール水が、またバランスイング槽２に接続した吸水管５を通ってバランスイング槽２内の水がそれぞれ吸引され合流したのち、ヘアーキャッチャー１５でヘアーその他比較的荒いゴミが除かれると共に、薬液槽１６からは薬液の注入がなされてろ過機１７で清浄化されたのちにボイラ１９でもつて一定温度に昇温され、減菌タンク１８からの薬液により殺菌がなされプール１の側壁等に周設した吐水口２０から吐水される。
【００１４】  またプール１とバランスイング槽２との水位はポンプ２１を作動させない状態にあっては同一水位を保っているが、ポンプ２１が一旦作動されるとバランスイング槽２の水位はプール１の水位より低下し、プール使用によりオーバーフロー水がオーバーフロー管３に流入しても水位差が自然と形成されているからスムーズにバランスイング槽２に流入することができ、バランスイング槽２をプール１より低位置に設置する必要がない。
こののち一定時間を経過するとバランスイング槽２内はオーバーフロー水で満たされ、吸水管５に設けた流量計８はオーバーフロー水の流量を、またプール吸水管７に設けた流量計８はとりわけプール底部付近のプール水の流量をそれぞれ指示し、プール管理者が流量計８の指示量を読みとり、プール水とオーバーフロー水とが適切な混合比率（一般的にはオーバーフロー水を全体の３０％〜５０％程度とする）となるように流量調節弁９を操作するようにする。
またブロー管１２のブロー弁１１を適宜操作することにより、オーバーフロー水をバランスイング槽２へ流入させずにブロー管１２から外部放流することができるので、オーバーフロー水がかなり汚れているときはブロー弁１１を開いて排水し、バランスイング槽２以降の循環系統に汚れたオーバーフロー水が入らないようにして効率のよいオーバーフロー水の循環、清浄化をはかるようにする。
尚、ポンプ２１を運転すればプール１中のプール水はプール吸水管７を通ってポンプ２１に吸引されるが、しかしバランスイング槽２中のオーバーフロー水が連通管１０を通ってプール吸水管７へ逆流するということは、前述したようにポンプ２１運転中はバランスイング槽２の水位がプール１の水位より下がつて水圧ヘッド小となるため逆流はほとんどなく、また適宜弁１４の開度を絞ることにより逆流を防ぐことができる。
【００１５】  また、本プール整備の給水当初には、バランスイング槽２への吸水管５並びにプール吸水管７と、バランスイング槽２とを結ぶ連通管１０の弁１４を開ければ、バランスイング槽２へ給水管１３から供給された水は、プール吸水管７からプールへ迅速に給水して初期の使用を可能とするものである。
【符号の説明】
【００１６】  １  プール
２  バランスインク槽
３  オーバフロー管
４  循環装置
５  給水管
６  吐水管
７  プール吸水管
８  流量計
９  流量調節弁
１０  連通管
１１  ブロー弁
１２  ブロー管
１３  給水管
１４  開度調整弁
１５  ヘアーキャッチャー
１６  薬液槽
１７  ろ過機
１８  滅菌タンク
１９  ボイラ
２０  吐水口
２１  ポンプ
２２  切替弁
【図１】
0003233035.tif 000003
【図２】
0003233035.tif 000004
【図３】
0003233035.tif 000005